(57)【特許請求の範囲】
【請求項１】
建物の立上り躯体上に間隔をおいて設けられた短尺のブラケットと屋内側の後分割笠木と屋外側の前分割笠木とを備え、上記ブラケットには、屋内側の第１の係止部と中間部の第２の係止部と屋外側の第３の係止部が形成され、上記後分割笠木には、ブラケットの第１の係止部と第２の係止部とに係止可能な第１係止片と第２係止片とが形成されているとともに、上記前分割笠木は、本体部と張出化粧部が一体成形され、上記後分割笠木の屋外側と上記ブラケットの第３の係止部とにそれぞれ係止可能な係止片と第３係止片とが形成され、上記ブラケットの第１の係止部と第２の係止部はそれぞれ上記立上り躯体上に固定されるブラケット本体に対して上向きに突出形成され、上記後分割笠木の第１係止片は上記第１の係止部に弾発的に係止可能に形成され、上記第２係止片には、上記第２の係止部の上端に係止可能な係止溝が形成されていることを特徴とする笠木装置。
【請求項２】
上記前分割笠木の第３係止片は、上記前分割笠木の中間部から化粧板状に垂下形成されていることを特徴とする、請求項１に記載の笠木装置。
【請求項３】
上記ブラケットの第３の係止部は、上記前分割笠木の第３係止片と弾発的に係止するよう、屋外側に向かって上向きでかつ傾斜して突出形成され、前分割笠木の係止片は、上記後分割笠木の第２係止片の屋内側に突出形成された内側突部に係止可能に形成されていることを特徴とする、前記請求項１又は２に記載の笠木装置。
【請求項４】
上記立上り躯体上にその長手方向に沿って隣接配置された２つの後分割笠木の屋外側からその目地に沿って短尺のジョイント材が差し込み装着可能に設けられていることを特徴とする、請求項１〜３のいずれかに記載の笠木装置。
【請求項５】
上記ジョイント材の屋内側の端部は、上記後分割笠木の第１係止片の裏側に屋外側に開口形成された係合溝に係合可能に形成され、上記ジョイント材の中間部は上記後分割笠木の第２係止片の屋外側に突出形成された外側突部に係止可能に形成されていることを特徴とする、請求項４に記載の笠木装置。
【請求項６】
上記ジョイント材の屋外側には下方に突出する係止片が形成され、該係止片は、上記２つの後分割笠木の裏側からその目地に沿って差し込み装着されたときに、上記前分割笠木の第３係止片と係止可能であることを特徴とする、請求項４又は５に記載の笠木装置。
【発明の詳細な説明】
【技術分野】
【０００１】
本発明は、建物躯体の立上り躯体に設置される笠木装置に関する。
【背景技術】
【０００２】
一般に、笠木は建物躯体のパラペットなどの立上り躯体に設置される。高所に設置されるものであるから、目立ちにくいと思われがちであるが、下から見上げたときに建物の上部の輪郭を構成するものなので、最近では笠木に機能だけでなく、よりよい外観デザインも望まれるようになっている。このように、デザイン性を高めるためには、建物から外側に現われる大型笠木が望ましく、このため、押出形材をいくつかに分割することにより、笠木装置を大型化することが行われている。
【０００３】
ところが、押出形材を分割することは、形材の点数が増え、現場で分割された形材を組み付けなければならないので、施工手間が増えることになる。そこで、これらの手間を簡素化するため、笠木を取り付けるためのブラケットのほかに、笠木を後部（屋内側）と前部（屋外側）の２つの分割笠木によって構成し、これらを立上り躯体上に間隔をおいて固定されたブラケットに個別に取り付けて一体的に連結することが行われている。例えば、特許文献１に示されるように、立上り躯体上に間隔をおいて固定されたブラケット前後の２個所に取付部を形成しておき、これらのブラケットに笠木を固定するに際し、まず前分割笠木の後部の２箇所の取付片をブラケットの前側の取付部に取り付けておき、さらに、後分割笠木の前後部の取付部をブラケットの前後部の取付部に固定することが行われている。このように、笠木を屋内側と屋外側の２つの分割笠木から構成しているので、前後の分割笠木を連結したときに全体が大型になり、屋外側の分割笠木が屋外側に大きく張り出すので、外観デザインが向上する。
【０００４】
また、笠木は立上り躯体の長手方向に沿って連続して取り付けられるものであるから、上述のようにしてブラケットに取り付けられた笠木は、さらに別の笠木とジョイント材を介して連結する必要がある。ジョイント材は笠木と略同じ断面形状を有する押出形材からなり、ジョイント材の一半部を立上り躯体上に取り付けられた笠木の端部に差し込んでおき、露出したジョイント材の他半部に対して隣接する笠木を側面方向から差し込んで嵌入させて行う場合が多い（特許文献２参照）。
【先行技術文献】
【特許文献】
【０００５】
【特許文献１】特許第４５４３４２９号公報
【特許文献２】特許第４０４８２０６号公報
【発明の概要】
【発明が解決しようとする課題】
【０００６】
しかしながら、特許文献１のように、２つの分割笠木をブラケット前後２個所のみの取付部に取り付ける態様では、特に前部分割笠木が後部の２個所の取付片でブラケットの前部の取付部に固定されることになり、取付強度に問題がある。特に、前部分割笠木の前方部分が強風によって煽られるようなことがあると、前部分割笠木が外れたり変形したりするおそれがある。
【０００７】
また、前部分割笠木をブラケットの前側取付部に取付する場合、ブラケット材と前部分割笠木の連結とが長尺部材を側面からスライドさせながら嵌入させるので、ブラケット材と分割笠木の形材同士のクリアランスが大きいと、ガタつきが発生し、また、クリアランスが小さすぎると、ブラケット材と前部分割笠木との嵌入作業が困難になり、ハンマー等で叩いて強制的に嵌入することになるため、傷が付いたり、変形したりすることがある。よって、形材の押出成形に高い精度が要求される。
【０００８】
また、笠木同士を長手方向に連結する場合、特許文献２に示されるように、先に取付した笠木本体の側面から、あらかじめジョイント材を差し込んでおき、連結する笠木を側面よりスライドさせ嵌入さるが、ジョイント材と笠木にクリアランスをもたせているたえ、嵌入時に動いてしまい、ジョイント材が左右にずれ易く、ひどい場合、ジョイント材が笠木本体の内側に入り込んでしまい、目地部から完全に外れてしまうこともある。
【０００９】
このように、一方の分割笠木に先に取り付けたジョイント材に対して他方の分割笠木を側方から差し込む作業は面倒であり、また立上り躯体が壁面に当接しているような場合、笠木の先端をジョイント材に差し込んだ後にスライドするためのスペースがないため、差し込むのが困難であり、また差し込みが不可能な場合もある。
【００１０】
さらに、ジョイント材に対して笠木を側方から差し込まなければならないことになると、前後の分割笠木をブラケットに対して取り付けるときも、側方から取り付けるようにしなければならないことになり、作業に自由度がなく、作業が面倒である。
【００１１】
本発明は上記問題点を解消し、特に、幅広の笠木を分割構成とすることにより、笠木の取付作業を容易に行うことができるとともに、ブラケットに対する笠木に十分な取付強度を確保することができる笠木装置を提供することをその課題とする。
【課題を解決するための手段】
【００１２】
前記課題を解決するため、請求項1に係る発明は、建物の立上り躯体上に間隔をおいて設けられた短尺のブラケットと屋内側の後分割笠木と屋外側の前分割笠木とを備え、上記ブラケットには、屋内側の第１の係止部と中間部の第２の係止部と屋外側の第３の係止部が形成され、上記後分割笠木には、ブラケットの第１の係止部と第２の係止部とに係止可能な第１係止片と第２係止片とが形成され、上記前分割笠木は、本体部と張出化粧部が一体成形され、上記後分割笠木の屋外側と上記ブラケットの第３の係止部とにそれぞれ係止可能な係止片と第３係止片とが形成され、上記ブラケットの第１の係止部と第２の係止部はそれぞれ上記立上り躯体上に固定されるブラケット本体に対して上向きに突出形成され、上記後分割笠木の第１係止片は上記第１の係止部に弾発的に係止可能に形成され、上記第２係止片には、上記第２の係止部の上端に係止可能な係止溝が形成されていることを特徴とする。
【００１３】
請求項２に係る発明は、請求項１において、上記前分割笠木の第３係止片は、上記前分割笠木の中間部から化粧板状に垂下形成されていることを特徴とする。
【００１４】
【００１５】
請求項３に係る発明は、請求項１又は２において、上記ブラケットの第３の係止部は、上記前分割笠木の第３係止片と弾発的に係止するよう、屋外側に向かって上向きでかつ傾斜して突出形成され、前分割笠木の係止片は、上記後分割笠木の第２係止片の屋内側に突出形成された内側突部に係止可能に形成されていることを特徴とする。
【００１６】
請求項４に係る発明は、請求項１〜３のいずれかにおいて、上記立上り躯体上にその長手方向に沿って隣接配置された２つの後分割笠木の屋外側からその目地に沿って短尺のジョイント材が差し込み装着可能に設けられていることを特徴とする。
【００１７】
請求項５に係る発明は、請求項４において、上記ジョイント材の屋内側の端部は、上記後分割笠木の第１係止片の裏側に屋外側に開口形成された係合溝に係合可能に形成され、上記ジョイント材の中間部は上記後分割笠木の第２係止片の屋外側に突出形成された外側突部に係止可能に形成されていることを特徴とする。
【００１８】
請求項６に係る発明は、請求項４又は５において、上記ジョイント材の屋外側には下方に突出する係止片が形成され、該係止片は、上記２つの後分割笠木の裏側からその目地に沿って差し込み装着されたときに、上記前分割笠木の第３係止片と係止可能であることを特徴とする。
【発明の効果】
【００１９】
請求項１に係る発明によれば、この発明に係る笠木装置は、立上り躯体上に間隔をおいて固定されたブラケットの屋外側、中間部、屋内側の３個所に第１、第２及び第３の係止部を形成しておき、これらのブラケットに笠木を固定するに際し、まず後分割笠木をブラケットの上方から下方に押圧するようにして、後分割笠木の第１係止片と第２係止片を、それぞれブラケットの第１の係止部と第２の係止部に係止固定する。そして、前分割笠木の中間部側の係止片を後分割笠木の第２係止片に係止させた状態で、前分割笠木の前部を上方から下方に回動させるようにして、その第３係止片をブラケットの第３の係止部に係止させて固定することによって構成されるから、笠木の取付作業を容易に行うことができる。そして、この笠木装置によれば、前分割笠木は、その屋外側はブラケットの第３の係止部に、中間部は、後分割笠木の第２係止片が、ブラケットの第２係止部に係止された状態で、さらにその上から取り付けられているから、ブラケットに対する笠木の取り付けに十分な強度が確保され、前分割笠木の屋外側部分が強風によって煽られるようなことがあっても、ブラケットから外れたり変形したりするおそれがなく、常に安定な取付状態が良好に保持される。
【００２０】
また、各笠木反対は、ブラケット２箇所の上方に向かって突出する係止部に支持されるため、嵌合に自由度があり、形材の高い押出精度を要求しない。
また、ブラケットの第１の係止部と第２の係止部はそれぞれ上記立上り躯体上に固定されるブラケット本体に対して上向きに突出形成され、後分割笠木の第１係止片は第１の係止部に弾発的に係止可能に形成され、第２係止片には、第２の係止部の上端に係止可能な係止溝が形成されているから、まず、後分割笠木の第２係止片の係止溝をブラケット本体の第２の係止部の上端に嵌合させ、ここを中心に後分割笠木の屋内側を下方に回動させる。後分割笠木の第１係止片をブラケットの第１の係止部に係止させればよい。したがって、ブラケットに対する後分割笠木の取付作業を容易に行うことができる。
【００２１】
請求項２に係る発明によれば、上記前分割笠木の第３係止片は、上記前分割笠木の中間部から化粧板状に垂下形成されているから、外観が向上する。
【００２２】
【００２３】
請求項３に係る発明によれば、ブラケットの第３の係止部は、前分割笠木の第３係止片と弾発的に係止するよう、屋外側に向かって上向きでかつ傾斜して突出形成され、前分割笠木の係止片は、後分割笠木の第２係止片の屋内側に突出形成された内側突部に係止可能に形成されているから、前分割笠木の屋内側の係止片を後分割笠木の内側突部に係合させ、ここを中心として屋外側を下方に回動させ、ブラケットの第３の係止部に対し、前分割笠木の第３係止片を弾発的に係止させればよい。したがって、前分割笠木の取付作業も容易に行うことができる。
【００２４】
請求項４に係る発明は、立上り躯体上にその長手方向に沿って隣接配置された２つの後分割笠木の屋外側からその目地に沿って短尺のジョイント材が差し込み装着可能に設けられているのであって、ジョイント材は笠木の内側にその側方から差し込む必要がない。
【００２５】
また、一方の笠木の端部に取り付けられたジョイント材に対して他方の笠木を側方から差し込む取付態様と比較して、ブラケットや前分割笠木や後分割笠木の形材に高い精度が要求されることがない。また、ジョイント材を前側から差し込むため特に差込み作業に必要なスペースが不要であり、作業の自由度が増し、作業スペースが小さくても効率的に取付作業を行うことができる。
【００２６】
請求項５に係る発明によれば、ジョイント材の屋内側の係合片は、上記後分割笠木の第１係止片の裏側に形成された屋外側に開口する係合溝に係合可能に形成され、ジョイント材の中間部は後分割笠木の第２係止片の屋外側に突出形成された外側突部に係止可能に形成されているから、ジョイント材を２つの後分割笠木の目地に沿って差し込んだとき、その端部は屋外側に開口する係合溝に容易に係合しやすく、また反対側の端部は外側突部に係止させるだけでよいので、ジョイント材の取付作業が簡単である。
【００２７】
請求項６に係る発明は、上記ジョイント材の屋外側には下方に突出する係止片が形成され、該係止片は、上記２つの後分割笠木の裏側からその目地に沿って差し込み装着されたときに、上記前分割笠木の第３係止片と係止可能であるから、取付作業が容易である。また、ジョイント材も後分割笠木と前分割笠木によって固定される。
【図面の簡単な説明】
【００２８】
【図１】本発明の笠木装置の側面図
【図２】立上り躯体にブラケットを取り付けた状態の側面図
【図３】ブラケットに後分割笠木を取り付ける途中の状態の側面図
【図４】隣り合う後分割笠木の間にジョイント材を差し込む状態の平面図
【図５】ジョイント材の取付態様を示す側面図
【図６】前分割笠木の取付態様を示す側面図
【図７】前分割笠木と後分割笠木をブラケットにねじ止め固定する状態の側面図
【図８】ウェザーストリップと水切りを取り付けた状態の側面図
【図９】シーリング処理をした状態の側面図
【発明を実施するための形態】
【００２９】
図１において符号１は建物の立上り躯体（パラペット）を示す。この立上り躯体の頂部にはその長手方向に一定の間隔をおいてブラケット２が固定され、ブラケット２には長尺の笠木３が取り付けられている。そして、立上り躯体１上には、その長手方向に沿って複数の笠木３が突合せ状に連設される。なお、隣り合う２つの笠木３の端部間には、図４〜図６に示されるように、ジョイント材１９が差し込み装着されている。
【００３０】
ブラケット２は、図２に示されるように、Ｚ字形のブラケット本体２ａと、ブラケット本体２ａの屋内側端部から斜め上方に突出する第１の係止部４と、ブラケット本体２ａの中間部の屈曲部から上方に突出する第２の係止部５と、ブラケット本体２ａの屋外側端部から斜め上方に突出する第３の係止部６とから構成されている。上記係止部４、５、６はいずれも上向きに突出形成されている。第１の係止部４と第３係止部６は傾斜し、第１の係止部４の下部には顎部７が形成され、第２の係止部５の上端には突部８が形成され、また、その中間部から屋内側に水平に突出する係合片９が形成されている。第３の係止部６はブラケット本体２ａの上段の水平部１０の先端に形成され、その下端６ａは水平部１０よりも下方に突出している。さらに、第１の係止部４から第２の係止部５、第３の係止部６と高さが順次に変わるように形成されている。
【００３１】
次に、笠木３はアルミニウムの押出型材により、屋内側に配置される後分割笠木３ａと屋外側に配置される前分割笠木３ｂの２つに分割構成されている。
【００３２】
後分割笠木３ａは、図３に示されるように、平板状の笠木本体の屋内側端部の下方にＬ字形の第１係止片１１を突出形成し、屋外側端部に下向きに開口するコ字形の係止溝１４を有する第２係止片１２を立ち上げ形成したもので、第１係止片１１の端部にはさらに小さなＬ形の係止部１５が形成されている。また、第２係止片１２の係止溝１４の屋内側と屋外側には、それぞれ内側突部１６と外側突部１７とが形成されている。
【００３３】
前分割笠木３ｂは、図１に示されるように、断面略コ字形の本体部１８ａと、屋外側に突出する平板状の張出化粧部１８ｂからなり、の張出化粧部１８ｂの屋外側端部にビスホール２０を形成し、屋内側端部にＺ形の係止片２１を垂下形成し、中央部には化粧板状の第３係止片１３を垂下形成したものである。第３係止片１３の下端には屋外側に係止顎部２２が形成されている。
【００３４】
次に、ジョイント材１９は、図４及び図５に示されるように、アルミニウムの押出形材からなる短尺の部材で、隣り合う笠木３の端部間で、隣り合うブラケット２の間に設けられるものであり、屋外側に立上り部２４、屋内側に下方に突出する係合片２３を形成したやや水平のジョイント本体３ｃと、ジョイント本体３ｃの立上り部２４の上端から屋外側に延出する延出部２５とからなり、延出部２５は立上り部の上端に接続する水平部２６と水平部２６の屋外側の端部から斜めに垂下した係止片２７とからなっている。係止片２７の下端には係止顎２８が形成されている。
【００３５】
上記部材によって、笠木装置を構成するときは、まず複数の短尺のブラケット２のブラケット本体２ａを立上り躯体１の頂部に、図２に示されるように、一定の間隔をおいてアンカーボルト３０によって固定する。このとき、屋外側の第３の係止部６の先端は立上り躯体１の屋外側の側面の略延長上にあるようにする。
【００３６】
次に、図３に示されるように、ブラケット本体２ａの上部に後分割笠木３ａを配置し、後分割笠木３ａの第２係止片１２の下向き開口の係止溝１4をブラケット本体２ａの第２の係止部５の上端に嵌合させ、ここを中心に後分割笠木３ａの屋内側を下方に回動させる。後分割笠木３ａの第１係止片１１の端部のＬ形の係止部１５をブラケット２の第１の係止部４の傾斜面に沿って摺動させ、最後に、図１に示されるように、係止部１５を第１の係止部４の顎部７に係止させる。このとき同時に、後分割笠木３ａの第２係止片１２の係止溝１４の開口端がブラケット２の第２の係止部５の上端の突部８に弾発的に係止する。このように、第１の係止部４と第１係止片１１、第２の係止部５と第２係止片１２との係止によって後分割笠木３ａはブラケット２に固定される。
【００３７】
上記要領により、立上り躯体１の上面には、複数の後分割笠木３ａが、図４のように、その長手方向に沿って突合せ状に連設される。
【００３８】
次に、隣り合う笠木の端部間にジョイント材１９を装着する。この場合、図４及び図５に示されるように、隣り合う２つの後分割笠木３ａの目地の屋外側から、上記目地に沿ってジョイント材１９を後方にスライドさせ、図６に示されるように、屋内側の係合片２３を隣り合う後分割笠木３ａの第１係止片１１の裏側の係合溝１１ａに係合させ、延出部２６の水平部２５を隣り合う後分割笠木３ａの外側突部１７に係止させる。これにより、ジョイント材１９は隣り合う後分割笠木３ａの端部間に係止装着される。なお、このとき、ブラケット２の第３の係止部６とジョイント材１９の延出部２５の係止片２７とは側面視において重なり合うように配置される。
【００３９】
さらに、図６及び図７に示されるように、前分割笠木３ｂの屋内側のＺ形係止片２１を後分割笠木３ａの内側突部１６に係合させ、ここを中心として屋外側を下方に回動させ、ブラケット２の第３の係止部６の先端６ａとジョイント材１９の係止片２７の先端の係止顎２８に対し、前分割笠木３ｂの第３係止片１３の先端の係止顎部２２を弾発的に係止させればよい。さらに、前分割笠木３ｂのＺ形係止片２１と後分割笠木３ａの第２係止片１２の垂直部１２ａとが重合するので、屋内側からを貫通したネジ３１を止着することにより、後分割笠木３ａと前分割笠木３ｂとブラケット２とを一体的に結合することにより、ジョイント材１９が動いてその位置が目地のいずれか一側にずれる目地ずれを防止することができる。
【００４０】
以上のように取り付けることにより、前分割笠木３ｂの屋内側と後分割笠木３ａの屋外側とは重合状態で一体に結合して一体の笠木３が構成される。また、隣り合う後分割笠木３ａと前分割笠木３ｂの目地の裏側にジョイント材１９が固定され、上記目地から進入した雨水等を主に屋内側に流れるように案内する。
【００４１】
上述のとおり、上記笠木装置は、立上り躯体１上に間隔をおいて固定されたブラケット２の前部、中央部、後部の３個所に第１の係止部４、第２の係止部５及び第３の係止部６を形成しておき、これらのブラケット２に笠木を固定するに際し、まず後分割笠木３ａをブラケット２の上方から下方に押圧するようにして、後分割笠木３ａの第１係止片１１と第２係止片１２を、それぞれブラケット２の第１の係止部４と第２の係止部５に係止固定する。そして、前分割笠木３ｂの係止片２１を後分割笠木３ａの内側突部１６に係合させた状態で前分割笠木３ｂの前部を上方から下方に回動させるようにして、その第３係止片１３をブラケット２の第３の係止部６に係止させて固定することによって構成される。このように、この笠木装置によれば、前分割笠木３ｂは、その屋内側と中央部とで後分割笠木３ａの係止片とブラケット２の第３の係止部６とに取り付けられているから、ブラケット２に対する笠木の取り付けに十分な強度が確保され、前分割笠木３ｂの屋外側部分が強風によって煽られるようなことがあっても、ブラケット２から外れたり変形したりするおそれがなく、常に安定な取付状態が良好に保持される。作業スペースが小さくても、ブラケット２に対する笠木の取り付け作業を容易に行うことができる。
【００４２】
また、ジョイント材１９は後分割笠木３ａをその長手方向に突合せ連結させた後に、隣り合う後分割笠木３ａの目地の屋外側から屋内側にスライドさせて取り付ける構成であるから、施工効率がよい。また、後分割笠木３ａにジョイント材１９を受け入れるのに十分なスペースが形成されているので、ジョイント材１９の取り付け作業も容易に行うことができる。
【００４３】
さらに、一方の笠木の端部に取り付けられたジョイント材１９に対して他方の笠木を側方から差し込む取付態様と比較して、ブラケット２や前分割笠木３ｂや後分割笠木３ａの形材に高い精度が要求されることがない。また、特に差込み作業に必要なスペースが不要であり、作業の自由度が増し、効率的に行うことができる。
【００４４】
しかも、笠木を分割構成とし、後分割笠木３ａの取り付け終了後、前分割笠木３ｂを取り付ける前にジョイント材１９を取り付ける構成となっているから、ジョイント材１９の取り付け作業を容易に行うことができる。
【００４５】
なお、図８に示されるように、雨水等が笠木装置の内側に進入しないように、屋外側に長尺のウェザーストリップ３３を取り付け、屋内側に水切り材３４をとりつけるようにしてもよい。ウェザーストリップ３３は防水部材３５の嵌合溝に嵌合され、防水部材３４をブラケット２の水平部１０の下面に固定すればよい。また、水切り材３４は後分割笠木３ａにネジ止め固定すればよい。また、水切り３４に代え、図９のように、シーリング材３５を施してもよい。
【００４６】
なお、ジョイント材１９は上記実施形態に限定されない。屋外側から差しこみ可能であれば、他の構成であってもよい。また、後分割笠木と前分割笠木とが取り付けられた後に取り付けられるようにしてもよい。
【符号の説明】
【００４７】
１    立上り躯体
２    ブラケット
３    笠木
３ａ  後分割笠木
３ｂ  前分割笠木
４  第１の係止部
５  第２の係止部
６  第３の係止部
１１  第１係止片
１２  第２係止片
１３  第３係止片
１４  係止溝
１５  係止部
１６  内側突部
１７  外側突部
【図１】
0005640233.tif 000002
【図２】
0005640233.tif 000003
【図３】
0005640233.tif 000004
【図４】
0005640233.tif 000005
【図５】
0005640233.tif 000006
【図６】
0005640233.tif 000007
【図７】
0005640233.tif 000008
【図８】
0005640233.tif 000009
【図９】
0005640233.tif 000010